(57)【要約】【解決手段】釣り糸カッター１は、互いに対向して接近離間する刃先７，９を有する上下両刃体２，３を備えている。この上刃体２に取り付けた配線基板１１には、入り切り可能な発光源１２を上刃先７に隣接して設けている。夜釣りなどで釣り糸カッター１を使用する場合、発光源１２により、釣り糸や上下両刃部６，８の外側域を照明することができる。【効果】上下両刃体２，３の刃先７，９間に釣り糸を挿入し易くなり、釣り糸の切断を容易に行うことができる。【選択図】図１
2004113123.tif 000002
【特許請求の範囲】
【請求項１】
互いに対向して接近離間する刃先を有する上下両刃体を備えた釣り糸カッターにおいて、この刃体には入り切り可能な発光源を設けたことを特徴とするライト付き釣り糸カッター。
【請求項２】
前記発光源は、刃先に隣接して設けられていることを特徴とする請求項１に記載のライト付き釣り糸カッター。
【請求項３】
前記発光源は、刃体に取り付けた配線基板に設けられていることを特徴とする請求項１または請求項２に記載のライト付き釣り糸カッター。
【請求項４】
互いに対向して接近離間する刃先を有する上下両刃体を備えた釣り糸カッターに対し着脱可能に支持される連結部と、互いに接続した発光源と電源とスイッチとを設けた配線基板とを備えたことを特徴とする釣り糸カッター用ライト。
【発明の詳細な説明】
【０００１】
【発明の属する技術分野】
本発明は、ライト付き釣り糸カッター及び釣り糸カッター用ライトに関するものである。
【０００２】
【従来の技術】
従来、市販されている釣り糸カッター１においては、図１（ｂ）に示すように、互いに対向する刃先７，９を有する上下両刃体２，３を備え、これらの刃先７，９が互いに接近離間する上下方向Ｚの弾性をこの上下両刃体２，３に持たせている。
【０００３】
【発明が解決しようとする課題】
しかし、夜釣りなどで釣り糸カッター１を使用する際、上下両刃体２，３の刃先７，９間や釣り糸が見えにくくなり、上下両刃体２，３の刃先７，９間に釣り糸を挿入して釣り糸を切断する作業に必要以上の時間がかかるおそれがあった。
【０００４】
この発明は、上下両刃体の刃先間に釣り糸を挿入し易くして釣り糸の切断を容易にすることを目的としている。
【０００５】
【課題を解決するための手段及び発明の効果】
後記実施形態の図面（図１（ａ）及び図６に示す第１実施形態、図２，６に示す第２実施形態、図３（ａ）（ｂ）及び図６に示す第３実施形態、図４，６に示す第４実施形態、図５（ａ）（ｂ）及び図６に示す第５実施形態、図７（ａ）（ｂ）に示す第６実施形態、図８（ａ）（ｂ）（ｃ）に示す第７実施形態）の符号を援用して本発明を説明する。
【０００６】
＊　請求項１の発明（第１〜７実施形態に対応）
この発明にかかるライト付き釣り糸カッター（１）は、下記のように構成されている。
【０００７】
この釣り糸カッター（１）においては、互いに対向して接近離間する刃先（７，９）を有する上下両刃体（２，３）を備えている。例えば、互いに対向する刃先（７．９）を有する上下両刃体（２，３）を備え、これらの刃先（７，９）が互いに接近離間する方向（Ｚ）の弾性をこの上下両刃体（２，３）に持たせている。また、例えば、刃先（７，９）は、爪切りと異なり、直線状に延びている。
【０００８】
特に、前記刃体（２，３）には入り切り可能な発光源（１２）を設けている。例えば、この発光源（１２）は上下両刃体（２，３）の刃先（７，９）付近に向けて投光し得る。
【０００９】
この発明では、夜釣りなどで釣り糸カッター（１）を使用する場合、発光源（１２）により釣り糸を照らすことができる。従って、上下両刃体（２，３）の刃先（７，９）間に釣り糸を挿入し易くなり、釣り糸の切断を容易に行うことができる。
【００１０】
＊　請求項２の発明（第１〜７実施形態に対応）
この発明において、請求項１の発明にかかる発光源（１２）は、刃先（７，９）に隣接して設けられている。この発明では、上下両刃体（２，３）の刃先（７，９）付近をポイント照明し易くなる。従って、上下両刃体（２，３）の刃先（７，９）間に釣り糸をより一層容易に挿入することができる。
【００１１】
＊　請求項３の発明（第１〜７実施形態に対応）
この発明において、請求項１または請求項２の発明にかかる発光源（１２）は、刃体（２）に取り付けた配線基板（１１）に設けられている。この発明では、発光源（１２）を刃体（２）に対し容易に取り付けることができる。
【００１２】
＊　請求項４の発明（主に第３実施形態に対応）
この発明にかかる釣り糸カッター用ライト（１０）においては、互いに対向して接近離間する刃先（７，９）を有する上下両刃体（２，３）を備えた釣り糸カッター（１）に対し着脱可能に支持される連結部（磁性シート１７）と、互いに接続した発光源（１２）と電源（１３）とスイッチ（１４）とを設けた配線基板（１１）とを備えている。この発明では、夜釣りなどで釣り糸カッター（１）を使用する場合、釣り糸カッター用ライト（１０）を釣り糸カッター（１）に着脱して発光源（１２）により釣り糸を照らすことができる。従って、上下両刃体（２，３）の刃先（７，９）間に釣り糸を挿入し易くなり、釣り糸の切断を容易に行うことができる。
【００１３】
＊　第５の発明
この発明は、請求項２の発明を前提として下記のように構成されている。
釣り糸カッター（１）においては、先端部（４ｂ）に上刃先（７）を有する上刃体（２）と、先端部（５ｂ）に下刃先（９）を有する下刃体（３）とを備え、この上刃体（２）の基端部（４ａ）と下刃体（３）の基端部（５ａ）とを互いに固着し、この上刃体（２）の上刃先（７）と下刃体（３）の下刃先（９）とを互いに対向させて、これらの刃先（７，９）が互いに接近離間する方向（Ｚ）の弾性をこの上下両刃体（２，３）に持たせている。この上刃体（２）の先端部（４ｂ）においては、上刃板部（４）から上刃部（６）を折曲して形成し、この上刃部（６）の端縁に上刃先（７）を形成している。この下刃体（３）の先端部（５ｂ）においては、下刃板部（５）から下刃部（８）を前記上刃部（６）に向けて折曲して形成し、この下刃部（８）の端縁に下刃先（９）を前記上刃先（７）に対向して形成している。前記発光源（１２）は、例えば下記・の構成により、刃先（７，９）に隣接して設けられている。
【００１４】
・　第１〜５実施形態に対応
前記刃部（６）で刃先（７）から延びる外面（６ａ）を含む平面（Ｐ）を想定し、この平面（Ｐ）よりも内側で刃部（６）の外側に設けた発光源（１２）をこの平面（Ｐ）から外側へ突出させ、この発光源（１２）からの投光域（Ｓ）を刃部（６）の外面（６ａ）の外側に設ける。
【００１５】
・　第６実施形態に対応
前記刃部（６）の外側に設けた発光源（１２）の周囲で反射部（２１）を設け、この発光源（１２）からの直接投光域（Ｓ）に加え、この発光源（１２）から反射部（２１）を経た間接投光域（Ｓ）を設ける。
【００１６】
・　第７実施形態に対応
前記刃部（６）で刃先（７）が延びる延設方向（Ｙ）の両側のうち少なくとも片側に発光源（１２）を並べて配設し、この発光源（１２）からの投光域（Ｓ）をこの刃部（６）の片側に沿って設ける。例えば、刃体（２）の先端部（４ｂ）で刃部（６）の片側には刃板部（４）との間で切欠部（２２）を設け、この切欠部（２２）に発光源（１２）を配設して刃部（６）の片側に並べる。
【００１７】
この発明では、上下両刃体（２，３）の刃先（７，９）付近をポイント照明し易くして、上下両刃体（２，３）の刃先（７，９）間に釣り糸をより一層容易に挿入することができる。
【００１８】
＊　第６の発明（第１，３〜７実施形態に対応）
この発明において、請求項３の発明にかかる配線基板（１１）には発光源（１２）に接続した電源（１３）とスイッチ（１４）とが設けられている。この発明では、上下両刃体（２，３）を把持した手の指でスイッチ（１４）を操作して発光源（１２）の入り切りを容易に行うことができる。
【００１９】
＊　第７の発明（第２実施形態に対応）
この発明は、請求項３の発明を前提として下記のように構成されている。
電源（１３）とスイッチ（１４）とを設けた操作部（１５）を上下両刃体（２，３）及び配線基板（１１）に対し分離して設け、この操作部（１５）の電源（１３）及びスイッチ（１４）と配線基板（１１）の発光源（１２）とを接続線（１６）を介して接続した。この発明では、電源（１３）及びスイッチ（１４）を有する操作部（１５）を再利用したまま、上下両刃体（２，３）及び配線基板（１１）のみを交換したり、上下両刃体（２，３）及び配線基板（１１）を再利用したまま、電源（１３）及びスイッチ（１４）を有する操作部（１５）のみを交換したりする場合などに便利である。
【００２０】
＊　第の８発明（第３，４，５実施形態に対応）
この発明においては、請求項３の発明または第６の発明にかかる配線基板（１１）を刃体（２）に対し着脱可能に支持し得る連結部（磁性シート１７、面ファスナー１８、係止軸部１９、係止孔２０）を備えている。この発明では、釣り糸カッター（１）を再利用したまま、発光源（１２）を有する配線基板（１１）のみを交換することができる。従って、発光源（１２）が故障したために配線基板（１１）を交換する場合や、照度や色の異なる発光源（１２）に変えるために配線基板（１１）を交換する場合などに便利である。
【００２１】
【発明の実施の形態】
以下、本発明の実施形態にかかるライト付き釣り糸カッター及び釣り糸カッター用ライトについて図面を参照して説明する。
【００２２】
＜図１（ａ）及び図６に示す第１実施形態＞
釣り糸カッター１は上刃体２と下刃体３とを備え、この上刃体２の上刃板部４の基端部４ａとこの下刃体３の下刃板部５の基端部５ａとが互いに固着されている。この上刃体２の先端側においては、上刃板部４の先端部４ｂから上刃部６が折曲形成され、この上刃部６の下端縁に上刃先７が形成されている。この下刃体３の先端側においては、下刃板部５の先端部５ｂから下刃部８が前記上刃部６に向けて折曲形成され、この下刃部８の上端縁に下刃先９が前記上刃先７に対向して形成されている。これらの刃先７，９は直線状に延設されている。この上下両刃体２，３は、これらの刃先７，９が互いに接近離間する上下方向Ｚの弾性を有している。
【００２３】
釣り糸カッター用ライト１０においては、樹脂製の配線基板１１に発光源１２（ＬＥＤ）と電源１３（乾電池）とスイッチ１４とが互いに接続されて設けられ、この配線基板１１が前記上刃体２の上刃板部４に接着剤により接着されている。なお、この配線基板１１を前記上刃体２の上刃板部４に螺着してもよい。前記上刃部６で上刃先７から延びる外面６ａを含む平面Ｐを想定した場合、発光源１２はこの平面Ｐよりも内側で上刃先７に隣接して配線基板１１から上刃部６の外側に露出するとともに、この発光源１２の一部がこの平面Ｐから外側へ突出している。そのため、この発光源１２は上下両刃部６，８の外側域を投光域Ｓとして確実に照明することができる。
【００２４】
＜図２，６に示す第２実施形態＞
この第２実施形態では、電源１３とスイッチ１４とを設けた樹脂製の操作部１５が上下両刃体２，３及び配線基板１１に対し分離して設けられ、この操作部１５の電源１３及びスイッチ１４と配線基板１１の発光源１２とが接続線１６を介して接続されている。そのほかは前記第１実施形態と同様である。
【００２５】
＜図３（ａ）（ｂ）及び図６に示す第３実施形態＞
この第３実施形態では、釣り糸カッター用ライト１０が上下両刃体２，３に対し分離して設けられ、配線基板１１の下側に磁性シート１７（連結部）が取着されている。この磁性シート１７を上刃体２の上刃板部４の外側に対し磁性により接合させると、釣り糸カッター用ライト１０を釣り糸カッター１に対し着脱可能に取り付けることができる。上刃部６に対する発光源１２の位置は、図６に示す状態以外に、磁性シート１７の接合位置の選択により適宜調節することができる。そのほかは前記第１実施形態と同様である。
【００２６】
＜図４，６に示す第４実施形態＞
この第４実施形態では、配線基板１１の下側と上刃体２の上刃板部４の外側とにそれぞれ面ファスナー１８（連結部）が取着され、それらの面ファスナー１８の接合により、釣り糸カッター用ライト１０を釣り糸カッター１に対し着脱可能に取り付けることができる。上刃部６に対する発光源１２の位置は、図６に示す状態以外に、面ファスナー１８の接合位置の選択により適宜調節することができる。そのほかは前記第１実施形態と同様である。
【００２７】
＜図５（ａ）（ｂ）及び図６に示す第５実施形態＞
この第５実施形態では、配線基板１１の下側に係止軸部１９（連結部）が突設されているとともに、上刃体２の上刃板部４に係止孔２０（連結部）が形成され、この係止軸部１９を係止孔２０に係脱して、釣り糸カッター用ライト１０を釣り糸カッター１に対し着脱可能に取り付けることができる。そのほかは前記第１実施形態と同様である。
【００２８】
＜図７（ａ）（ｂ）に示す第６実施形態＞
この第６実施形態では、上刃部６の外側で配線基板１１に凹状の反射部２１が形成され、この反射部２１内に発光源１２が露出し、この発光源１２の周囲の反射面２１ａで発光源１２からの光が反射する。この発光源１２は、上下両刃部６，８の外側域を、直接投光域Ｓとして照明するばかりではなく、発光源１２から反射部２１を経た間接投光域Ｓとして照明することができる。そのほかは前記第１実施形態と同様である。また、この第６実施形態は、前記第２〜５実施形態にも採用することができる。
【００２９】
＜図８（ａ）（ｂ）（ｃ）に示す第７実施形態＞
上刃部６で刃先７が延びる延設方向Ｙの両側のうち片側には上刃板部４との間で切欠部２２が形成され、この切欠部２２に入り込ませた配線基板１１から発光源１２が露出して上刃部６の片側に並べられている。この発光源１２は上下両刃部６，８の外側域を投光域Ｓとして照明することができる。そのほかは前記第１実施形態と同様である。また、この第６実施形態は、前記第２〜５実施形態にも採用することができる。
【００３０】
＜別例＞
図示しないが、前記配線基板１１の下側に連結溝を形成し、その連結溝を上刃体２の上刃板部４に嵌め込んで、釣り糸カッター用ライト１０を釣り糸カッター１に対し着脱可能に取り付ける。
【図面の簡単な説明】
【図１】（ａ）は第１実施形態にかかるライト付き釣り糸カッターを示す斜視図であり、（ｂ）は従来の釣り糸カッターを示す斜視図である。
【図２】第２実施形態にかかるライト付き釣り糸カッターを示す斜視図である。
【図３】（ａ）は第３実施形態にかかる釣り糸カッター用ライトを示す斜視図であり、（ｂ）はこのライトを釣り糸カッターに取り付けた状態を示す側面図である。
【図４】第４実施形態にかかるライト付き釣り糸カッターを示す側面図である。
【図５】（ａ）は第５実施形態にかかるライト付き釣り糸カッターを示す側面図であり、（ｂ）は（ａ）の部分拡大断面図である。
【図６】第１実施形態において刃先付近のライトを示す部分拡大側面図である。
【図７】（ａ）は第６実施形態において刃先付近のライトを示す部分拡大側面図であり、（ｂ）は同じく部分拡大正面図である。
【図８】（ａ）は第７実施形態において刃先付近のライトを示す部分拡大側面図であり、（ｂ）は同じく部分拡大平面図であり、（ｃ）は同じく部分拡大正面図である。
【符号の説明】
１…釣り糸カッター、２…上刃体、３…下刃体、７…上刃先、９…下刃先、１０…釣り糸カッター用ライト、１１…配線基板、１２…発光源、１３…電源、１４…スイッチ、１７…磁性シート（連結部）、１８…面ファスナー（連結部）、１９…係止軸部（連結部）、２０…係止孔（連結部）。
【図１】
2004113123.tif 000003
【図２】
2004113123.tif 000004
【図３】
2004113123.tif 000005
【図４】
2004113123.tif 000006
【図５】
2004113123.tif 000007
【図６】
2004113123.tif 000008
【図７】
2004113123.tif 000009
【図８】
2004113123.tif 000010